(57)【要約】      （修正有）【課題】寝返りをし易くし横臥時に枕の頭部載置部高さが頸椎への負荷が少なくなるように配慮したマット及びシートを提供する。【解決手段】仰臥時に肩甲骨の主要部分を受ける箇所を残して、横臥姿勢時に左又は右の腕の付け根（肩甲骨先端）部分に対応する箇所の相当部分を左右両側面から矩形又はＵ字形に切り取り去ったまま又は切り取った跡により柔らかいスポンジや不織布のシートを挿入して寝具として使用するスポンジや不織布で構成される。【選択図】図１
0003196291.tif 000002
【実用新案登録請求の範囲】
【請求項１】
仰臥時に肩甲骨の主要部分を受ける箇所を残して、横臥姿勢時に左又は右の腕の付け根（肩甲骨先端）部分に対応する箇所の相当部分を左右両側面から矩形又はＵ字形に切り取り去ったまま又は切り取った跡により柔らかいスポンジや不織布等のシートを挿入して寝具として使用する厚さ数センチのスポンジや不織布等のマット又はシート。
【請求項２】
請求項１に記載したマット又はシートに１枚以上のマット又はシートを重合又は貼合又は積層し、一体とした寝具。
【考案の詳細な説明】
【技術分野】
【０００１】    本考案は、睡眠に於いて寝返りがし易く横臥姿勢に枕の頭部載置位置を適切にする為の工夫を施したマットに関するものである。
【背景技術】
【０００２】    寝返りは仰臥姿勢から横臥姿勢に又はその逆に又は左右の横臥姿勢から反対側の横臥姿勢に変える事であり、寝返りし易さは頭部の移動距離及び枕の仰臥姿勢と横臥姿勢との傾斜具合に依る。【０００３】    仰臥時に於いて、下部のマット又は布団は概ね平面で水平とすると、頭部及び頸部を載置する枕の位置や形状は胸椎の最上部の高さが分かると難しくない。【０００４】    仰臥時の重力を支えるのは後頭部を載置する枕の部分と肩の下の布団やマットで、後頭部を受けるの高さが適切であれば、枕の頸椎を載せる部分は高過ぎなければ問題はないと考える。【０００５】    しかし、横臥時に於いて、下部のマット又は布団は概ね平面で水平と見て、頸椎は体の背面から見て概ね胸椎上部の延長直線上にあるのが正常であるが、市販の枕では頸椎が下方に傾斜するようで使用者はややうつ伏せになって対処しているのが見受けられる。これは頚椎をねじっている場合があり、特に高齢者にとっては長期間の使用で周辺の筋肉に負荷を堆積させることになる。【０００６】    従って、仰臥時では枕の後頭部の載置高さは約１０ｍｍ側頭部の高さは約４０ｍｍで横臥用では腕の付け根から側頭部まで約１５０ｍｍで、通常枕の高さは１００ｍｍとしても寝返り時の移動高さは６０ｍｍになりスムーズな寝返りは行い難い。【０００７】    寝返り動作のし易さに重点を置いて、横臥時の枕の側頭部の高さを下げると頸椎が下方に傾く姿勢になり、仰臥時の枕の後頭部を高くすると頸椎の１番が引き上げられて具合が悪い。【０００８】    横臥姿勢に於いて、側頭部を載置する枕の高さを寝返り動作をし易くする為に低く抑える必要と、仰臥姿勢から横臥姿勢に移る多くの場合、身体は寝返る方向に少し移動するので、肩の腕の付け根（肩甲骨先端）の下の寝具を低くする方法を考案することになった。【０００９】    寝返りと安眠姿勢に関するマットに特許文献１の背当枕及び特許文献２の健康クッションあるが、２段富士山形や台形にしてサイズに汎用性を備えたようであるが、使用者の体型の差異、特に肩幅（肩甲骨の左右の先端）により、仰臥姿勢に於ける胸部の重量を支える部分の幅にしては不充分になりかねない。また、横臥姿勢に於いて、山形や台形のため、側胸部（肋骨）に当たる部分の中程に斜めに段差が来て側胸部の一部が浮いてしまい不具合が生ずることがある。従って、窪みは腕の太さよりやや広い範囲で、横にはせめて肘までが望ましいことになる。【００１０】    また仰臥姿勢で肩甲骨１部分が肩甲骨窪みからはみ出て、仰臥姿勢から横臥姿勢に寝返るのには便利なのであるが、はみ出る部分が多くなると仰臥姿勢には不向きになる。
【先行技術文献】
【特許文献】
【００１１】
【特許文献１】特許公開平１１−１１３７０５公報
【特許文献２】特許公開平９−１４９８４３公報
【考案の概要】
【考案が解決しようとする課題】
【００１２】  寝返りをし易くし横臥時に枕の頭部載置部高さが頸椎への負荷が少なくなるように配慮したマットの提供。
【課題を解決するための手段】
【００１３】  本考案は仰臥時と横臥時の頭部の高さに差が少ないと寝返りをし易くなる事と、横臥時の頸椎への負荷の最小化のため望ましい高さにすると仰臥時と横臥時の頭部の高さに差を大きくなる事との二律背反的な問題に枕だけでは解決が難しく、寝具まで対象を拡大して考察したものである。【００１４】  寝具としての硬さを持つスポンジや不織布の硬さの異なるシート２枚を用意し、硬めのシートに横臥姿勢で左右の腕の付け根（左右の肩甲骨先端）部分を受ける周辺を矩形又は横Ｕ字形等に切り抜いて、腕の付け根部分を低く受けるようにし下部シートとし、柔らかめの上部シートを重ねるか張り合わせるかしたマットを提供する。
【考案の効果】
【００１５】  本考案は、通常の頸椎で仰臥姿勢の後頭部と横臥姿勢の側頭部の高さの差が大きくなり、従来の枕では対処し難い人の為のマットである。【００１６】  切り取られた部分を利用して、使用者の体型に合わせて、左右の腕の付け根（左右の肩甲骨先端）の落ち込み場所及び幅の調整をする。【００１７】  ベッドでの使用を想定しているが、部分的に窪みが無く略平面で使用時に窪みの少ない通常の敷き布団やマットレスの上に使用できる。
【図面の簡単な説明】
【００１８】
【図１】図１は横Ｕ字形に切り取った後のシートの斜視図。
【考案を実施するための形態】
【００１９】  不織布やスポンジの厚さ約３ｃｍシングルサイズのマットを用意して、中央の仰臥時に肩甲骨の主要部分を支える箇所を残し、横臥姿勢で左右の腕の付け根（左右の肩甲骨先端）部分を受ける箇所に左右側面から矩形又は横Ｕ字形等に切り取り除去して、横臥時にその取り去られた箇所に腕の付け根（肩甲骨先端）を載せて、枕単独では不足する頭部側面と腕の付け根（肩甲骨先端）との高さを補う。
【実施例１】
【００２０】  スポンジのやや軟らかめの厚さ約３ｃｍシングルサイズのマットを上部にし、同サイズのやや硬めのスポンジマットの中央胸幅相当部分を残して、腕の付け根部分を受ける箇所から肩幅方向両端までを矩形又は横Ｕ字形に切り抜き取り去って、下部として重ね合わせた。【００２１】  この切り取られた箇所が横臥時に左右の腕の付け根（左右の肩甲骨先端）部分を受け３ｃｍ弱の高さ調整部分となる。【００２２】  切り取られた箇所に、腕の付け根の当たりを和らげる為に同じ厚さの柔らかいスポンジを入れることも出来る。また不織布、化繊綿等を薄く平面に入れると３ｃｍ以下の調整になる。【００２３】  重ねたのマットを３分割し両側面にファスナーをつけた布カバーで被い、分割前の位置に戻し縫い合わせ３つ折りの形状にして実用化する。【００２４】  従って、肩甲骨の中央を受けるマット箇所は狭いようであるが寝返り動作には狭い方が都合よく肩甲骨部分の重力をマットが受ける面積としては実用的である。【００２５】  切り取った小片は保存して置き、必要に応じて、マット全体の長方向の幅はそのままにして、任意の形に切り、元の部分に挿入して腕の付け根の落ち込み場所を調整する。
【図１】
0003196291.tif 000003
【手続補正書】
【提出日】平成26年12月1日(2014.12.1)
【手続補正１】
【補正対象書類名】実用新案登録請求の範囲
【補正対象項目名】全文
【補正方法】変更
【補正の内容】
【実用新案登録請求の範囲】
【請求項１】
仰臥時に肩甲骨の主要部分を受ける箇所を残して、横臥姿勢時に左又は右の腕の付け根（肩甲骨先端）部分に対応する箇所の相当部分を左右両側面から矩形又はＵ字形に切り取り去ったまま又は切り取った跡により柔らかいスポンジや不織布のシートを挿入して寝具として使用するスポンジや不織布のマット又はシート。
【請求項２】
請求項１に記載したマット又はシートに１枚以上のマット又はシートを重合又は貼合又は積層し、一体とした寝具。